【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
グラフィック・コンテンツを作成する方法であって、
コンテンツを入力するためのコンテンツ入力領域を与えるステップと、
前記コンテンツ入力領域内でコンテンツを受け取るステップと、
前記コンテンツ入力領域内で前記コンテンツのためのフォーマット設定を受け取るステップであって、前記コンテンツ入力領域が前記グラフィック・コンテンツと別個の領域であり、前記フォーマット設定が前記コンテンツと異なるステップと、
グラフィック・コンテンツを作成するために前記コンテンツと組み合わせされる複数のグラフィック定義を与えるステップであって、前記コンテンツの前記フォーマット設定が、前記グラフィック・コンテンツのグラフィック要素を定義するステップと、
前記コンテンツ入力領域内の前記コンテンツおよび前記フォーマット設定に基づいてグラフィック・コンテンツを自動的に作成するステップと、
前記コンテンツを前記コンテンツ入力領域に、前記グラフィック・コンテンツを別個の領域に、同時に表示するステップと
を備えることを特徴とする方法。
【請求項２】
グラフィック定義の選択をユーザから受けるステップと、
前記グラフィック定義の選択および前記コンテンツに基づいて前記グラフィック・コンテンツを自動的に作成するステップと、
を備えることを特徴とする請求項１に記載の方法。
【請求項３】
前記コンテンツは、テキスト・データ、聴覚データまたは視覚データの１つを含むことを特徴とする請求項１に記載の方法。
【請求項４】
前記コンテンツは、前記グラフィック・コンテンツにおける１つまたは複数の変更をもたらす、前記テキスト・データへの１つまたは複数のフォーマットを含むことを特徴とする請求項３に記載の方法。
【請求項５】
前記テキスト・データは、階層リストであることを特徴とする請求項３に記載の方法。
【請求項６】
ユーザは、前記コンテンツをコンテンツ入力領域に入力することを特徴とする請求項１に記載の方法。
【請求項７】
前記コンテンツは、ユーザがコンテンツを前記コンテンツ入力領域にコピー・アンド・ペーストするときに受け取られることを特徴とする請求項６に記載の方法。
【請求項８】
前記コンテンツは、ユーザが前記コンテンツ入力領域にタイプするときに受け取られることを特徴とする請求項６に記載の方法。
【請求項９】
前記コンテンツは、別のアプリケーション内の情報にリンクされていることを特徴とする請求項６に記載の方法。
【請求項１０】
前記グラフィック・コンテンツは、前記コンテンツおよびデフォルトのグラフィック定義に基づいていることを特徴とする請求項１に記載の方法。
【請求項１１】
前記グラフィック定義は、プレゼンテーション定義またはスタイル定義を含むことを特徴とする請求項１に記載の方法。
【請求項１２】
前記プレゼンテーション定義は、１つまたは複数のカテゴリの図表を含むことを特徴とする請求項１１に記載の方法。
【請求項１３】
前記グラフィック・コンテンツは、前記コンテンツを受け取ると自動的に作成されることを特徴とする請求項１に記載の方法。
【請求項１４】
サーバ・コンピュータ・システムは、前記コンテンツを受け取り、前記サーバは、前記グラフィック・コンテンツを自動的に作成して、クライアント・コンピュータ・システムに送ることを特徴とする請求項１に記載の方法。
【請求項１５】
コンテンツを入力するためのコンテンツ入力領域を与えるステップと、
階層構造で受け取られるコンテンツを、前記コンテンツ入力領域内で受け取るステップと、
前記コンテンツ入力領域内で、前記コンテンツの階層構造のためのフォーマット設定を受け取るステップであって、前記コンテンツ入力領域が前記グラフィック・コンテンツと別個の領域であり、前記フォーマット設定が前記コンテンツと異なるステップと、
グラフィック・コンテンツを作成するために前記コンテンツと組み合わせされる複数のグラフィック定義を与えるステップであって、前記コンテンツの前記フォーマット設定が、前記グラフィック・コンテンツのグラフィック要素を定義するステップと、
前記コンテンツ入力領域内の前記コンテンツおよび前記フォーマット設定に基づいてグラフィック・コンテンツを自動的に作成するステップと、
前記コンテンツの階層構造を前記コンテンツ入力領域に、前記グラフィック・コンテンツを別個の領域に、同時に表示するステップと
を実行するためのコンピュータ実行可能命令を有することを特徴とするコンピュータ読み取り可能な記録媒体。
【請求項１６】
グラフィック定義の選択をユーザから受けるステップと、
前記グラフィック定義の選択および前記コンテンツに基づいて前記グラフィック・コンテンツを自動的に作成するステップと、
を含むことを特徴とする請求項１５に記載のコンピュータ読み取り可能な記録媒体。
【請求項１７】
前記コンテンツは、テキスト・データ、聴覚データまたは視覚データの１つを含むことを特徴とする請求項１５に記載のコンピュータ読み取り可能な記録媒体。
【請求項１８】
前記コンテンツは、前記グラフィック・コンテンツにおける１つまたは複数の変更をもたらす、前記テキスト・データへの１つまたは複数のフォーマットを含むことを特徴とする請求項１７に記載のコンピュータ読み取り可能な記録媒体。
【請求項１９】
前記テキスト・データは、階層リストであることを特徴とする請求項１７に記載のコンピュータ読み取り可能な記録媒体。
【請求項２０】
ユーザは、前記コンテンツをコンテンツ入力領域に入力することを特徴とする請求項１５に記載のコンピュータ読み取り可能な記録媒体。
【請求項２１】
前記コンテンツは、ユーザがコンテンツを前記コンテンツ入力領域にコピー・アンド・ペーストするときに受け取られることを特徴とする請求項２０に記載のコンピュータ読み取り可能な記録媒体。
【請求項２２】
前記コンテンツは、ユーザが前記コンテンツ入力領域にタイプするときに受け取られることを特徴とする請求項２０に記載のコンピュータ読み取り可能な記録媒体。
【請求項２３】
前記コンテンツは、別のアプリケーション内の情報にリンクされていることを特徴とする請求項２０に記載のコンピュータ読み取り可能な記録媒体。
【請求項２４】
前記グラフィック・コンテンツは、前記コンテンツおよびデフォルトのグラフィック定義に基づいていることを特徴とする請求項１５に記載のコンピュータ読み取り可能な記録媒体。
【請求項２５】
前記グラフィック定義は、プレゼンテーション定義またはスタイル定義を含むことを特徴とする請求項１５に記載のコンピュータ読み取り可能な記録媒体。
【請求項２６】
前記プレゼンテーション定義は、１つまたは複数のカテゴリの図表を含むことを特徴とする請求項２５に記載のコンピュータ読み取り可能な記録媒体。
【請求項２７】
前記グラフィック・コンテンツは、前記コンテンツを受け取ると自動的に作成されることを特徴とする請求項１５に記載のコンピュータ読み取り可能な記録媒体。
【請求項２８】
サーバ・コンピュータ・システムは、前記コンテンツを受け取り、前記サーバは、前記グラフィック・コンテンツを自動的に作成して、クライアント・コンピュータ・システムに送ることを特徴とする請求項１５に記載のコンピュータ読み取り可能な記録媒体。
【請求項２９】
グラフィック・コンテンツを編集する方法であって、
コンテンツ入力領域内で受け取られたコンテンツおよび複数のグラフィック定義からの選択に応じて作成されるグラフィック・コンテンツを表示するステップであって、前記コンテンツ入力領域は、前記グラフィック・コンテンツと別個の領域であるステップと、
前記グラフィック・コンテンツへの１つまたは複数の変更を受け取るステップと、
前記１つまたは複数の変更を受け取ると該１つまたは複数の変更に応じて前記グラフィック・コンテンツおよび前記コンテンツ入力領域内の前記コンテンツの１つまたは複数の要素とを自動的に修正するステップであって、前記１つまたは複数の要素は、前記コンテンツ入力領域における前記コンテンツのフォーマット設定によって定義され、前記フォーマット設定は、前記コンテンツと異なるステップと、
少なくとも前記グラフィック・コンテンツが作成される全ての前記コンテンツを、前記コンテンツ入力領域に表示するステップと、
前記グラフィック・コンテンツを前記コンテンツ入力領域と別個に、同時に表示するステップと
を含む方法。
【請求項３０】
前記１つまたは複数の変更は、前記コンテンツ入力領域内の前記コンテンツに向けられたものであることを特徴とする請求項２９に記載の方法。
【請求項３１】
前記１つまたは複数の変更は、複数のグラフィック定義からの新しい選択であり、新しいグラフィック・コンテンツは、前記グラフィック定義の新しい選択および前記コンテンツに応じて作成されることを特徴とする請求項２９に記載の方法。
【請求項３２】
前記グラフィック・コンテンツは、描画キャンバスに表示されることを特徴とする請求項２９に記載の方法。
【請求項３３】
前記１つまたは複数の変更は、前記描画キャンバスの前記グラフィック・コンテンツに直接的に向けられたものであり、前記コンテンツ入力領域内の前記コンテンツにおいて複製されることを特徴とする請求項３２に記載の方法。
【請求項３４】
コンテンツ入力領域内で受け取られたコンテンツおよびフォーマット設定と、複数のグラフィック定義からの選択とに応じて作成されるグラフィック・コンテンツを表示するステップと、
前記コンテンツ入力領域内の前記コンテンツに対する１つまたは複数の変更を受け取るステップであって、前記コンテンツ入力領域は、前記グラフィック・コンテンツと別個の領域であるステップと、
前記１つまたは複数の変更を受け取ると前記コンテンツ入力領域内の前記コンテンツに対する該１つまたは複数の変更に応じて、前記グラフィック・コンテンツの１つまたは複数の要素を自動的に修正するステップであって、前記１つまたは複数の要素は、前記コンテンツ入力領域内の前記コンテンツのフォーマット設定によって定義され、前記フォーマット設定は、前記コンテンツと異なるステップと、
前記コンテンツ入力領域内の前記コンテンツを表示するステップと、
前記グラフィック・コンテンツは、前記コンテンツ入力領域と別個に、同時に表示するステップと
を実行するためのコンピュータ実行可能命令を有することを特徴とするコンピュータ読み取り可能な記録媒体。
【請求項３５】
前記１つまたは複数の変更は、前記複数のグラフィック定義からの新しい選択であり、新しいグラフィック・コンテンツは、前記グラフィック定義からの新しい選択および前記コンテンツに応じて作成されることを特徴とする請求項３４に記載のコンピュータ読み取り可能な記録媒体。
【請求項３６】
前記グラフィック・コンテンツは、描画キャンバスに表示されることを特徴とする請求項３４に記載のコンピュータ読み取り可能な記録媒体。
【請求項３７】
前記１つまたは複数の変更は、前記描画キャンバスの前記グラフィック・コンテンツに直接的に向けられたものであり、前記コンテンツ入力領域内の前記コンテンツにおいて複製されることを特徴とする請求項３６に記載のコンピュータ読み取り可能な記録媒体。
【請求項３８】
ディスプレイ装置と１つまたは複数のユーザ・インタフェース選択装置とを含むグラフィカル・ユーザ・インタフェースを有するコンピュータ・システムにおける、グラフィック・コンテンツを提供する方法であって、
複数のグラフィック定義をグラフィック定義領域に表示するステップと、
選択されたグラフィック定義を受け取るステップと、
前記グラフィック定義領域と別個の領域であるコンテンツ入力領域を表示するステップと、
前記グラフィック定義領域および前記コンテンツ入力領域のどちらとも別個である、描画キャンバスを表示するステップと、
コンテンツ、および前記コンテンツと異なるフォーマット設定を前記コンテンツ入力領域内に受け入れるステップと、
前記コンテンツを前記コンテンツ入力領域に表示するステップと、
前記コンテンツ入力領域内に受け入れられた前記コンテンツに応じてグラフィック・コンテンツを前記描画キャンバスに、別個にかつ同時に表示するステップであって、前記グラフィック・コンテンツは、前記選択されたグラフィック定義に応じて前記コンテンツ領域に表示される前記コンテンツを含むステップと
を含むことを特徴とする方法。
【請求項３９】
前記複数のグラフィック定義からのグラフィック定義の選択を受け取るステップと、
前記グラフィック定義の選択および前記コンテンツに応じて前記グラフィック・コンテンツを表示するステップと、
を備えることを特徴とする請求項３８に記載の方法。
【請求項４０】
前記コンテンツは、テキスト・データを含むことを特徴とする請求項３８に記載の方法。
【請求項４１】
前記コンテンツは、前記グラフィック・コンテンツにおける１つまたは複数の変更をもたらす前記テキスト・データへの１つまたは複数のフォーマットを含むことを特徴とする請求項４０に記載の方法。
【請求項４２】
前記テキスト・データは、階層リストであることを特徴とする請求項４０に記載の方法。
【請求項４３】
前記コンテンツは、ユーザがコンテンツを前記コンテンツ入力領域にコピー・アンド・ペーストするときに受け取られることを特徴とする請求項３８に記載の方法。
【請求項４４】
前記コンテンツは、ユーザが前記コンテンツ入力領域にタイプするときに受け取られることを特徴とする請求項３８に記載の方法。
【請求項４５】
前記コンテンツは、別のアプリケーション内の情報にリンクされていることを特徴とする請求項３８に記載の方法。
【請求項４６】
前記コンテンツ領域の前記コンテンツの一部は、描画キャンバスに表示されないことを特徴とする請求項３８に記載の方法。
【請求項４７】
前記グラフィック・コンテンツは、前記コンテンツおよびデフォルトのグラフィック定義に基づいていることを特徴とする請求項３８に記載の方法。
【請求項４８】
前記グラフィック定義は、プレゼンテーション定義またはスタイル定義を含むことを特徴とする請求項３８に記載の方法。
【請求項４９】
前記グラフィック定義は、テキスト記述または視覚例の少なくとも１つであることを特徴とする請求項３８に記載の方法。
【請求項５０】
前記グラフィック・コンテンツは、前記コンテンツを前記コンテンツ入力領域に受け入れるときに描画キャンバスにおいて自動的に作成されることを特徴とする請求項３８に記載の方法。
【請求項５１】
前記コンテンツは、前記グラフィック・コンテンツを前記描画キャンバスに受け入れるときに前記コンテンツ入力領域において自動的に作成されることを特徴とする請求項３８に記載の方法。
【請求項５２】
前記グラフィック・コンテンツを前記描画キャンバスに表示する前に該グラフィック・コンテンツのライブ・プレビューをさらに含むことを特徴とする請求項３８に記載の方法。
【請求項５３】
前記グラフィック・コンテンツへの１つまたは複数の変更を受け取るステップと、
前記１つまたは複数の変更を受け取ると該１つまたは複数の変更に応じて前記グラフィック・コンテンツの１つまたは複数の要素を自動的に修正するステップと、
を含むことを特徴とする請求項３８に記載の方法。
【請求項５４】
前記１つまたは複数の変更は、前記コンテンツ入力領域内の前記コンテンツに向けられたものであることを特徴とする請求項５３に記載の方法。
【請求項５５】
前記１つまたは複数の変更は、前記複数のグラフィック定義からの新しい選択であり、新しいグラフィック・コンテンツは、前記グラフィック定義の新しい選択および前記コンテンツに応じて作成されることを特徴とする請求項５３に記載の方法。
【請求項５６】
前記１つまたは複数の変更は、前記描画キャンバスの前記グラフィック・コンテンツに直接的に向けられたものであり、前記コンテンツ入力領域内の前記コンテンツにおいて複製されることを特徴とする請求項５３に記載の方法。
【請求項５７】
サーバ・コンピュータ・システムは、前記コンテンツを受け取り、前記サーバは、前記グラフィック・コンテンツを自動的に作成して、クライアント・コンピュータ・システムに送ることを特徴とする請求項３８に記載の方法。